(57)【要約】　　　（修正有）【課題】イオンユニットを動作させて発生したマイナスイオンを温風とともに室内に発散する温風暖房機において、無駄のないイオン放出を行う。【解決手段】本体１と、この本体１内に備えられたバーナ２と、本体１の前面に設けられた温風吐出口１２と、この温風吐出口１２から温風を吐き出す送風ファン９と、運転開始指示・運転停止指示装置等が設置された操作パネル１３と、室内にマイナスイオンを発生するイオンユニット２０と、前記運転開始指示・運転停止指示装置等の信号に基づいて前記バーナ２、送風ファン９及び運転状況表示器を制御する中央制御装置とを具備した温風暖房機において、温風吐出口１２から温風が吐き出される時間前から前記イオンユニット２０の動作を開始し、温風の吐き出しが停止する前に前記イオンユニット２０の動作を停止する制御を行うとともに、イオンユニット２０動作確認用のイオン発生表示器とを設けた。【選択図】　図１
2004028509.tif 000002
【特許請求の範囲】
【請求項１】
温風暖房機の本体（１）と、この本体（１）内に備えられたバーナ（２）と、本体（１）の前面に設けられた温風吐出口（１２）と、この温風吐出口（１２）から温風を吐き出す送風ファン（９）と、運転開始指示装置（１４）、運転停止指示装置（１５）、室温設定装置（１６）および運転状況表示器（１７）が設置された操作パネル（１３）と、本体（１）に取り付けられて室内にマイナスイオンを発生するイオンユニット（２０）と、そして前記運転開始指示装置（１４）、運転停止指示装置（１５）、室温設定装置（１６）の信号に基づいて前記バーナ（２）、送風ファン（９）及び運転状況表示器（１７）を制御する中央制御装置（２３）とを具備した温風暖房機において、前記温風吐出口（１２）から温風が吐き出される時間前から前記イオンユニット（２０）の動作を開始し、温風の吐き出しが停止する前に前記イオンユニット（２０）の動作を停止する制御を行うとともに、イオンユニット（２０）動作確認用のイオン発生表示器（３２）を有したことを特徴とする温風暖房機の制御装置。
【請求項２】
温風吐出口（１２）から温風が吐き出される前にイオンユニット（２０）の動作を開始し、温風の吐き出しが停止する前にイオンユニット（２０）の動作を停止する機能と、イオンユニット（２０）の動作を確認するイオン発生表示器（３２）の動作機能を中央制御装置（２３）に内蔵したことを特徴とする請求項１記載の温風暖房機の制御装置。
【発明の詳細な説明】
【０００１】
【産業上の利用分野】
本発明は、室内に温風とともにマイナスイオンを放出する温風暖房機に関するもので、室内にいる人の気分をリフレッシュして精神状態を良好な状態に保持することができる温風暖房機の制御装置を提供するものである。
【０００２】
【従来の技術】
従来のこの種の温風暖房機において、特開平１１−２１１２３６号公報に示すように、温風暖房機本体の送風経路にマイナスイオン発生器を配置して快適な暖房空間を得るようにしたものが公知である。
【０００３】
具体的には、多数の通気孔を有する収納体の中に角閃石その他のセラミックスを混合したものを収納してマイナスイオン発生器を構成し、これを本体前面の温風吹き出し口より内側の送風経路に設置し、このマイナスイオン発生器に温風を接触させて室内に吐き出すものである。
【０００４】
【発明が解決しようとする課題】
上記に示された従来技術においては、発生から消滅までの時間が短いマイナスイオンを効果的に室内に広めることが出来ず、人の生活空間を積極的に快適にするような効果は少ないものであり、せいぜい室内に放出されるる燃焼ガスの臭いを低減するにとどまるものであった。
【０００５】
【課題を解決するための手段】
本発明は、上述の課題を解決するためになされたものであり、具体的には、温風暖房機の本体と、この本体内に備えられたバーナと、本体の前面に設けられた温風吐出口と、この温風吐出口から温風を吐き出す送風ファンと、運転開始指示装置、運転停止指示装置、室温設定装置および運転状況表示器が設置された操作パネルと、本体に取り付けられて室内にマイナスイオンを発生するイオンユニットと、そして前記運転開始指示装置、運転停止指示装置、室温設定装置の信号に基づいて前記バーナ、送風ファン及び運転状況表示器を制御する中央制御装置とを具備した温風暖房機において、前記温風吐出口から温風が吐き出される時間前から前記イオンユニットの動作を開始し、温風の吐き出しが停止する前に前記イオンユニットの動作を停止する制御を行うとともに、イオンユニット動作確認用のイオン発生表示器を有したものである。
【０００６】
上記の手段によって、運転開始後、温風が送風する時間前からイオンユニットが動作し、発生したマイナスイオンは温風に引き込まれて室内に放散する。
【０００７】
また、運転停止時は、温風が停止する時間前にイオンユニットの動作が停止し、冷却動作時のファン動作中はイオンユニットは動作停止を継続する。
【０００８】
すなわち、温風が送風されるときだけマイナスイオンを室内に放出するようにしたものであり、これにより無駄な電力を省くものである。
【０００９】
また、マイナスイオンは、無臭で、かつ色もないためイオン発生中を示す表示器を点灯することで動作中の情報を使用者に提供するものである。
【００１０】
【発明の実施の形態】
以下、本発明の一実施例を、添付図面を用いて詳細に説明する。
【００１１】
図１、図２は、本発明の燃焼温風暖房機の概略構造を示すもので、１はファンヒータと呼ばれる燃焼温風暖房機の本体、２はこの本体１内の下部に設置されたバーナ、３は灯油を気化させる気化器、４はこの気化器３を加熱するヒータである。
【００１２】
８は油受皿、１９はこの油受皿８に灯油を供給する給油タンクである。５は油受皿８内の灯油を気化器３に送り込むポンプ、６は気化器３の先端に取り付けられた噴出ノズル、１８はこの噴出ノズル６を開閉する電磁弁、９はバーナ２に燃焼用の空気を送り込むとともに、燃焼によって発生した高温ガスを暖房機の本体１外へ送り出す送風ファンで、本体１の背面に取り付けられている。
【００１３】
１０は温風室で、バーナ２の上部を覆うように設置され、送風ファン９から供給される送風とバーナ２で発生した高温燃焼ガスとの混合が行なわれて温風化するところである。１２はこの温風室１０で発生した温風が吐き出される温風吐出口（ルーバー）で、本体１の前面に取り付けられている。
【００１４】
１３は本体１の上面部に設けられた操作パネルで、図３に示す運転開始指示装置１４、運転停止指示装置１５、室温設定装置１６、設定室温や実際室温等を表示するための運転状況表示器１７が組み込まれている。
【００１５】
７は気化器３の温度を検知する気化器温度検知素子、２１はバーナ２に生じた炎に接することにより炎の存在を検知する炎状態検知装置、２２はバーナ２に点火する点火器である。
【００１６】
そして２０は本体１の前部に取り付けられたイオンユニットである。
【００１７】
このイオンユニット２０は図示していないが、電源端子に直流電圧を入力し、この直流電圧を巻き線比の高いコイルで構成したトランスで昇圧して数ＫＶの高電圧を発生させ、この高電圧とグランド間に微弱な放電現象を起こすような距離で電極を設けることでマイナスイオンを発生させるものである。
【００１８】
次に図３は、本発明一実施例の制御系統を説明したもので、前記イオンユニット２０のイオン発生シーケンスが組み入れられたものである。
【００１９】
２３は中央制御装置（マイコン）であり、すでに説明した運転開始指示装置１４、運転停止指示装置１５、室温設定装置１６、室温検知装置２４、炎状態検知装置２１、気化器温度検知素子７がその入力側に接続され、出力側にはヒータ４、ポンプ５、送風ファン９、運転状況表示器１７および点火器２２が接続されている。
【００２０】
また、中央制御装置２３とポンプ５の接続点にはトランジスタ４１のベース端が接続され、トランジスタ４１のエミッタ端はグランドに、コレクタ端は抵抗４２に接続されている。また、抵抗４２の他端はホトカプラ３１ａ（ダイオード）のカソード端に接続され、ホトカプラ３１ａの他端は電源４３に接続されている。
【００２１】
一方ホトカプラ３１ｂ（トランジスタ）のコレクタ端は、電源４３とは異なる電源４４に接続され、エミッタ端はイオン発生表示器であるＬＥＤ３２のアノード端と接続すると共に、イオンユニット２０のＯＮ／ＯＦＦ入力に接続されている。また、ＬＥＤ３２のカソード端は抵抗３３を介しグランドに接続されている。ホトカプラ３１は前記したホトカプラ３１ａ（ダイオード）とホトカプラ３１ｂ（トランジスタ）とで構成されている。
【００２２】
イオンユニット２０は、電源４４に接続されると共に、グランドに接続されている。
【００２３】
このような構成において、運転開始指示装置１４が操作されて運転の開始が指示されると、中央制御装置２３は気化器３のヒータ４への通電を開始するとともに、気化器温度検知素子７を通して気化器３の温度を検知し、その温度が燃焼開始可能温度に達すると、ポンプ５を作動させて気化器３内の圧力を高め、気化ガスを噴出ノズル６から噴出させる。
【００２４】
同時に、点火器２２を作動させてバーナ２に火炎を生成させる。そして炎状態検知装置２１によって炎の存在が確認されたときは、送風ファン９を作動させて温風室１０へ送風し、発生した温風を温風吐出口１２を介して本体１外へ放出する。燃焼が開始された後は、中央制御装置２３は気化器３が正常な燃焼を維持するのに必要な温度に維持されるよう、気化器温度検知素子７の信号を監視しながらヒータ４を制御する。
【００２５】
そして、室温設定装置１６によって設定された室温になるよう中央制御装置２３はポンプ５の駆動出力を高めて燃焼出力を増やし、一定室温の維持を目指す。
【００２６】
逆に室温が高い場合は、中央制御装置２３はポンプ５の駆動出力を低下させて燃焼出力を落し、一定室温の維持を目指す。
【００２７】
また、イオンユニット２０には直流電圧が入力し、この直流電圧は巻き線比の高いコイルで構成したトランスで昇圧して数ＫＶの高電圧を発生し、この高電圧とグランド間に微弱な放電現象起こすような距離で電極を設けていることでマイナスイオンを発生する。
【００２８】
つぎに、この運転中におけるイオンユニット２０の動作について説明する。
【００２９】
まず、図３の制御ブロック図と図４のタイミングチャートに従って説明する。
【００３０】
すでに説明したように、運転開始指示装置１４が操作されて運転の開始が指示されると、中央制御装置２３は気化器３のヒータ４への通電を開始するとともに、気化器温度検知素子７を通して気化器３の温度を検知し、その温度が燃焼開始可能温度に達すると、ポンプ５を作動させる。
【００３１】
このとき、図３に示すようにトランジスタ４１を介してその他端に接続されたホトカプラ３１ａに出力信号が送られ、受光側のホトカプラ３１ｂを介してイオンユニット２０に”Ｈｉ”の信号が入力し、図４に示すようにイオンユニット２０は動作を開始する。
【００３２】
次に、運転停止指示装置１５が操作されて運転の停止が指示されると、中央制御装置２３は気化器３のヒータ４への通電を停止するとともに、ポンプ５を消火時の消臭シーケンスに沿ってある時間作動させたあと動作を停止させる。
【００３３】
このとき、トランジスタ４１を介してホトカプラ３１への信号もなくなり、受光側のホトカプラ３１ｂを介して”Ｌｏ”の信号が入力し、図４に示すようにイオンユニット２０の動作停止が指示される。
【００３４】
また、前記イオンユニット２０の動作中は、ホトカプラ３１の受光側のホトカプラ３１ｂを介して”Ｈｉ”の信号が抵抗３３を介してＬＥＤ３２に入力し、そのＬＥＤランプを点灯させる。
【００３５】
一方、イオンユニット２０の停止中は、受光側のホトカプラ３１ｂを介して”Ｌｏ”の信号となり、ＬＥＤ３２のランプを消灯させ、使用者にイオン発生の情報を提供する。
【００３６】
次に、図５の制御ブロック図は本発明の他の実施例を示したもので、中央制御装置２３内に直接イオンユニット２０のイオン発生シーケンスを内蔵し、さらに、イオン発生表示器３２も内蔵したものである。
【００３７】
このときのタイミングチャートは図４と同じでなくとも良く、例えば図６に示すように、ポンプ５の動作とタイミングを合わせなくても送風ファン９の動作前にイオンユニット２０を動作させ、運転停止時は運転停止操作と同じタイミングでイオンユニット２０の停止とイオン発生表示器３２の消灯を行っても良い。
【００３８】
【発明の効果】
以上説明したように、本発明によれば運転開始後、温風が吐き出される時間前から、イオンユニットが動作し、発生したマイナスイオンは温風に引き込まれて室内に放散する。これによって、部屋に居る人は気分をリフレッシュして精神状態を良好に保持することが出来る。
【００３９】
また、運転停止時は、温風が停止する時間前にイオンユニットの動作が停止することで、無駄な電力を省くことができる。
【００４０】
さらに、マイナスイオンは、無臭で、かつ色もないためイオン発生中を示す表示器を点灯することで動作中の情報を使用者に提供することができる。
【図面の簡単な説明】
【図１】本発明の一実施例の概略構成を示す断面図である。
【図２】本発明の燃焼部の概略構成を示す説明図である。
【図３】本発明の制御部の一実施例を示すブロック説明図である。
【図４】本発明の一実施例のタイミングチャートである。
【図５】本発明の制御部の他の実施例を示すブロック説明図である。
【図６】本発明の他の実施例のタイミングチャートである。
【符号の説明】
１　　本体
２　　バーナ
９　　送風ファン
１２　　温風吐出口
１３　　操作パネル
１４　　運転開始指示装置
１５　　運転停止指示装置
１６　　室温設定装置
１７　　運転状況表示器
２０　　イオンユニット
２３　　中央制御装置（マイコン）
３２　　イオン発生表示器
【図１】
2004028509.tif 000003
【図２】
2004028509.tif 000004
【図３】
2004028509.tif 000005
【図４】
2004028509.tif 000006
【図５】
2004028509.tif 000007
【図６】
2004028509.tif 000008